(57)【要約】【課題】  粉、顆粒、錠剤、カプセル及び液体の薬剤を、例えば乳児、幼児、高齢者や、薬剤の服用が困難な身体障害者でも比較的容易に服用できるようにするための薬剤服用器具を提供すること。【解決手段】  ゼリー状体、粘性を有する流動体又は液体等の流動状体９と共に薬剤１０を口で吸い込むための薬剤服用器具７であって、ラッパ状に形成されその大径開口部１１ｃから流動状体９及びその表面に配置した薬剤１０を吸い込むことができる第１吸込み部１１と、この第１吸込み部１１の小径開口部と連通するように接続する吸込み管１２とを備える。【選択図】      図１
0003173017.tif 000002
【実用新案登録請求の範囲】
【請求項１】
ゼリー状体、粘性を有する流動体又は液体等の流動状体と共に薬剤を口で吸い込むための薬剤服用器具であって、
ラッパ状に形成されその大径開口部から前記流動状体と共に前記薬剤を吸い込むことができる吸込み部と、この吸込み部の小径開口部と連通するように接続する吸込み管とを備えることを特徴とする薬剤服用器具。
【請求項２】
前記吸込み部の大径開口部に対して薬剤保持部が着脱自在に設けられ、前記薬剤保持部は、内部に前記薬剤を保持することができ、前記流動状体を通すための流入部が形成されていることを特徴とする請求項１記載の薬剤服用器具。
【請求項３】
前記流入部が前記薬剤保持部の側壁に形成されていることを特徴とする請求項２記載の薬剤服用器具。
【請求項４】
ゼリー状体、粘性を有する流動体又は液体等の流動状体と共に薬剤を口で吸い込むための薬剤服用器具であって、
ラッパ状に形成されその大径開口部から前記流動状体と共に前記薬剤を吸い込むことができる吸込み部と、前記流動状体を保持するためのものであって、前記吸込み部の小径開口部と連通する薬剤通路を有し、前記薬剤通路が弁機構で開閉される流動状体保持部と、この流動状体保持部と連通するように接続する吸込み管とを備えることを特徴とする薬剤服用器具。
【請求項５】
前記吸込み部の大径開口部に対して薬剤保持部が設けられ、前記薬剤保持部は、前記薬剤を保持することができ、前記流動状体を通すための流入部が形成されていることを特徴とする請求項４記載の薬剤服用器具。
【請求項６】
前記流入部は、網状体、小孔又は逆止弁で構成されていることを特徴とする請求項２、３又は５記載の薬剤服用器具。
【請求項７】
前記流入部にキャップが連結され、前記キャップは、前記流動状体が収容されている容器の開口部に着脱自在に取り付けることができ、かつ前記流入部と前記開口部とを連通させる連通孔が形成されていることを特徴とする請求項２、３、５又は６記載の薬剤服用器具。
【請求項８】
請求項１乃至６のいずれかに記載の薬剤服用器具と、この薬剤服用器具に対して間隔を隔てて覆うよう設けた外管とを備え、前記薬剤服用器具の前記流動状体を吸込む側の一端と前記外管の一端との隙間を前記流動状体の吸込み口として形成し、前記薬剤服用器具の他端と前記外管の他端との隙間を前記流動状体の出口として形成したことを特徴とする薬剤服用器具。
【考案の詳細な説明】
【技術分野】
【０００１】
本考案は、例えば乳児、幼児、高齢者や、薬剤の服用が困難な身体障害者が薬剤を服用し易くするための薬剤服用器具に関する。
【背景技術】
【０００２】
従来において、例えば図１６に示すような粉薬服用器具１がある（例えば、特許文献１参照。）。この粉薬服用器具１は、同図に示す容器２内に粉薬（図示せず）を入れて蓋３をする。そして、コップ（図示せず）に注いだ水の中に吸込み管４の先端を浸けて、吸口管５の先端を口で吸う。すると、コップ内の水が吸込み管４を通って容器２内に流入して、この容器２内で粉薬と水とが混ざり合う。そして、水が水平管６の高さまで容器２内に流入すると、容器２内の粉薬と水との混合水が水平管６及び吸口管５を通って口の中に流入する。
【０００３】
この粉薬服用器具１によると、容器２内で作られる粉薬と水との混合水を口で吸い込むことによって粉薬を服用できるので、粉薬が口の中に残ることが少なく簡単に服用することができる。
【先行技術文献】
【特許文献】
【０００４】
【特許文献１】特開２００２−２８２２３号公報
【考案の概要】
【考案が解決しようとする課題】
【０００５】
しかし、図１６に示す従来の粉薬服用器具１では、薬の錠剤やカプセルを服用するときに使用することができないことがある。なぜなら、錠剤やカプセルは、容器２内の水に浮いてしまうことがあり、そのような錠剤やカプセルを、吸口管５や水平管６内に吸い込んで口の中に入れることは困難なことだからである。
【０００６】
そして、図１６に示す従来の粉薬服用器具１では、嵩が大きく、複雑な形状であるので、乳幼児は、違和感を生じて薬の服用を拒否することがある。
【０００７】
本考案は、上記のような課題を解決するためになされたものであり、粉、顆粒、錠剤、カプセル及び液体の薬剤を、例えば乳児、幼児、高齢者や、薬剤の服用が困難な身体障害者でも比較的容易に服用できるようにするための薬剤服用器具を提供することを目的としている。
【課題を解決するための手段】
【０００８】
請求項１に係る薬剤服用器具は、ゼリー状体、粘性を有する流動体又は液体等の流動状体と共に薬剤を口で吸い込むための薬剤服用器具であって、ラッパ状に形成されその大径開口部から前記流動状体と共に前記薬剤を吸い込むことができる吸込み部と、この吸込み部の小径開口部と連通するように接続する吸込み管とを備えることを特徴とするものである。
【０００９】
請求項１に係る薬剤服用器具を使用して、例えば粉、顆粒、錠剤、又はカプセルの薬剤を服用するときは、まず、例えばこの薬剤をゼリー状体、又は粘性を有する流動体の表面に配置して、薬剤と共にゼリー状体等をこの薬剤服用器具の吸込み部から吸い込めばよい。薬剤及びゼリー状体等は、吸込み部及び吸込み管を通る間に互いに混ざり合あった状態となって口の中に入る。そして、使用者は、口に入った薬剤をゼリー状体等と共に違和感なく飲み込むことができる。
【００１０】
また、薬剤を例えばオブラートに包んで液体に浮かせて、その薬剤が包まれたオブラートと共に液体を、この薬剤服用器具を使用して口に吸い込んで飲み込むことができる。
【００１１】
請求項２に係る薬剤服用器具は、請求項１に記載の薬剤服用器具において、前記吸込み部の大径開口部に対して薬剤保持部が着脱自在に設けられ、前記薬剤保持部は、内部に前記薬剤を保持することができ、前記流動状体を通すための流入部が形成されているものである。このようにすると、例えば規定量の薬剤を薬剤保持部に保持させることによって、規定量の薬剤を、流動状体と一緒に飲み込んで確実に服用することができる。そして、薬剤保持部が吸込み部と着脱自在に設けられているので、例えば薬剤の性状や使用者の好みに応じて、薬剤保持部を吸込み部から外した状態でも使用することができる。
【００１２】
請求項３に係る薬剤服用器具は、請求項２に記載の薬剤服用器具において、前記流入部が前記薬剤保持部の側壁に形成されていることを特徴とするものである。このようにすると、薬剤の性状によって、薬剤が流入部から外に出る可能性が高い場合でも、薬剤保持部に保持された薬剤が流入部から出にくくすることができる。
【００１３】
請求項４に係る薬剤服用器具は、ゼリー状体、粘性を有する流動体又は液体等の流動状体と共に薬剤を口で吸い込むための薬剤服用器具であって、ラッパ状に形成されその大径開口部から前記流動状体と共に前記薬剤を吸い込むことができる吸込み部と、前記流動状体を保持するためのものであって、前記吸込み部の小径開口部と連通する薬剤通路を有し、前記薬剤通路が弁機構で開閉される流動状体保持部と、この流動状体保持部と連通するように接続する吸込み管とを備えることを特徴とするものである。
【００１４】
請求項４に係る薬剤服用器具を使用して薬剤を服用するときは、まず、流動状体保持部に流動状体を入れておく。そして、薬剤を例えば容器に入れられた流動状体の表面に配置する。このようにして、薬剤と共に流動状体を吸込み部から吸い込めばよい。するとまず、流動状体保持部に保持されている流動状体が口の中に入り、次に、容器内の流動状体及び薬剤が吸込み部、薬剤保持部及び吸込み管を通る間に互いに混ざり合あった状態となって口の中に入る。このように、まず、流動体保持部に保持されている流動状体が口の中に入った後に、容器内の薬剤及び流動状体の混合物が口に入るので、薬剤を流動状体と共に違和感なく飲み込むことができる。
【００１５】
請求項５に係る薬剤服用器具は、請求項４に係る薬剤服用器具において、前記吸込み部の大径開口部に対して薬剤保持部が設けられ、前記薬剤保持部は、前記薬剤を保持することができ、前記流動状体を通すための流入部が形成されていることを特徴とするものである。このようにすると、例えば規定量の薬剤を薬剤保持部に保持させることによって、その規定量の薬剤を、流動状体と一緒に確実に服用することができる。
【００１６】
請求項６に係る薬剤服用器具は、請求項２、３又は５に記載の薬剤服用器具において、前記流入部は、網状体、小孔又は逆止弁で構成されていることを特徴とするものである。例えば、流動状体の粘度が比較的大きいために、流動状体が流入部を逆流し難い性状である場合は、流入部を網状体や小孔で構成することができるし、逆流し易い性状である場合は、逆止弁で構成するとよい。流入部における流動状体の逆流を防止するのは、薬剤が流入部から流出しないようにするためである。
【００１７】
請求項７に係る薬剤服用器具は、請求項２、３、５又は６に記載の薬剤服用器具において、前記流入部にキャップが連結され、前記キャップは、前記流動状体が収容されている容器の開口部に着脱自在に取り付けることができ、かつ前記流入部と前記開口部とを連通させる連通孔が形成されていることを特徴とするものである。このようにすると、この薬剤服用器具のキャップを、流動状体が収容された容器の開口部に着脱自在に取り付けることができ、この取り付けた状態で、吸込み管の端部から口で吸い込むことによって、容器内の流動状体と共に薬剤を服用することができる。
【００１８】
請求項８に係る薬剤服用器具は、請求項１乃至６のいずれかに記載の薬剤服用器具と、この薬剤服用器具に対して間隔を隔てて覆うよう設けた外管とを備え、前記薬剤服用器具の前記流動状体を吸込む側の一端と前記外管の一端との隙間を前記流動状体の吸込み口として形成し、前記薬剤服用器具の他端と前記外管の他端との隙間を前記流動状体の出口として形成したことを特徴とするものである。
【００１９】
請求項８に係る薬剤服用器具によると、外管の流動状体が流出する出口を口で吸うことによって、この外管の一端と、請求項１乃至７のいずれかに記載の薬剤服用器具（以下、「内側器具」と言う。）の吸込み管の一端との間に形成されている出口から流動状体が流出して口の中に入る。このとき、内側器具の吸込み管の上端から口の中に流入する流動状体及び薬剤と、外管の出口から口の中に流入する流動状体とが互いに混ざり合うので、薬剤の違和感を少なくして服用することができる。
【考案の効果】
【００２０】
この考案に係る薬剤服用器具によると、ゼリー状体や粘性を有する流動体と共に薬剤を口で吸い込むことができる構成としたので、薬剤が水に溶けないようなものであっても、そのような薬剤を、ゼリー状体や流動体と一緒に服用することができる。従って、例えば乳児、幼児、高齢者や、薬剤の服用が困難な身体障害者でも、比較的容易に薬剤を服用することができる。
【図面の簡単な説明】
【００２１】
【図１】この考案の第１実施形態に係る薬剤服用器具を示し、（ａ）は薬剤服用器具の縦断面図、（ｂ）は薬剤服用器具によって吸い込んで飲み込むための流動状体の入れられた容器の縦断面図、（ｃ）は薬剤服用器具によって薬剤及び流動状体を吸い込んで飲み込む状態を示す縦断面図である。
【図２】同考案の第２実施形態に係る薬剤服用器具を示し、（ａ）は薬剤服用器具の縦断面図、（ｂ）は薬剤服用器具の薬剤保持部を取り外した状態を示す縦断面図、（ｃ）は薬剤服用器具によって薬剤及び流動状体を吸い込んで飲み込む状態を示す縦断面図である。
【図３】同考案の第３実施形態に係る薬剤服用器具を示し、（ａ）は薬剤服用器具の縦断面図、（ｂ）は薬剤服用器具の薬剤保持部を取り外した状態を示す縦断面図、（ｃ）は薬剤服用器具によって薬剤及び流動状体を吸い込んで飲み込む状態を示す縦断面図である。
【図４】同考案の第４実施形態に係る薬剤服用器具を示し、（ａ）は薬剤服用器具の縦断面図、（ｂ）は薬剤服用器具の薬剤保持部を取り外した状態を示す縦断面図、（ｃ）は薬剤服用器具によって薬剤及び流動状体を吸い込んで飲む状態を示す縦断面図である。
【図５】同考案の第５実施形態に係る薬剤服用器具を示し、（ａ）は薬剤服用器具の縦断面図、（ｂ）は薬剤服用器具の流動状体保持部及び第２吸込み部を取り外した状態を示す縦断面図、（ｃ）は薬剤服用器具によって薬剤及び流動状体を吸い込んで飲み込む状態を示す縦断面図である。
【図６】同考案の第６実施形態に係る薬剤服用器具を示し、（ａ）は薬剤服用器具の縦断面図、（ｂ）は薬剤服用器具の流動状体保持部及び第２吸込み部を取り外した状態を示す縦断面図、（ｃ）は薬剤服用器具によって薬剤及び流動状体を吸い込んで飲み込む状態を示す縦断面図である。
【図７】同考案の第７実施形態に係る薬剤服用器具を示し、（ａ）は薬剤服用器具の縦断面図、（ｂ）は薬剤服用器具の流動状体保持部及び第２吸込み部を取り外した状態を示す縦断面図、（ｃ）は薬剤服用器具によって薬剤及び流動状体を吸い込んで飲み込む状態を示す縦断面図である。
【図８】同考案の第８実施形態に係る薬剤服用器具を示し、（ａ）は薬剤服用器具の縦断面図、（ｂ）は薬剤服用器具の流動状体保持部及び第２吸込み部を取り外した状態を示す縦断面図、（ｃ）は薬剤服用器具によって薬剤及び流動状体を吸い込んで飲む状態を示す縦断面図である。
【図９】（ａ）は同考案の第９実施形態に係る薬剤服用器具を示す縦断面図、（ｂ）は同考案の第１０実施形態に係る薬剤服用器具を示す縦断面図である。
【図１０】同考案の第１１実施形態に係る薬剤服用器具を示す縦断面図である。
【図１１】同考案の第１２実施形態に係る薬剤服用器具を示す縦断面図である。
【図１２】薬剤包装具を示し、（ａ）は薬剤包装具の斜視図、（ｂ）は薬剤包装具を容器に取り付けた状態の縦断面図、（ｃ）はオブラート保持部から薬剤を取り出す状態を示す縦断面図である。
【図１３】同薬剤包装具を示し、（ａ）はオブラート保持部から薬剤を取り出した状態を示す縦断面図、（ｂ）は薬剤服用器具によって薬剤及び流動状体を吸い込んで飲む状態を示す縦断面図である。
【図１４】（ａ）は同考案の第１実施形態に係る薬剤服用器具を使用して飲み込むことができる薬剤を含む流動状体を成形するための成形型を示す平面図、（ｂ）は図１４（ａ）に示す成形型に蓋がされた薬剤成形具のＡ−Ａ断面図、（ｃ）は図１４（ｂ）に示す薬剤成形具で成形された薬剤を含む流動状体の正面図である。
【図１５】（ａ）は同考案の第１実施形態に係る薬剤服用器具を使用して飲み込むことができる薬剤を含む流動状体を成形するための他の成形型を示す平面図、（ｂ）は図１５（ａ）に示す成形型に蓋がされた薬剤成形具のＢ−Ｂ断面図、（ｃ）は図１５（ｂ）に示す薬剤成形具で成形された薬剤を含む流動状体の正面図である。
【図１６】従来の粉薬服用器具を示す縦断面図である。
【考案を実施するための形態】
【００２２】
以下、本考案に係る薬剤用服用器具の第１実施形態を図１及び図１３（ｂ）を参照して説明する。この薬剤服用器具７は、図１（ｃ）に示すように、例えば容器８にゼリー等を適当な大きさに潰した流動状体９を入れて、その流動状体９の表面に粉、顆粒、錠剤、又はカプセル等の薬剤１０を配置して、その流動状体９を口で吸い込みながら薬剤１０を服用できるようにするものである。この薬剤服用器具７は、第１吸込み部１１と、吸込み管１２とを備えている。
【００２３】
第１吸込み部１１は、図１（ａ）に示すように、ラッパ状に形成された先端部１１ａを有し、このラッパ状先端部１１ａの小径開口部に接続筒１１ｂが結合している。そして、この接続筒１１ｂに短円筒形の吸込み管１２の端部が外嵌合して接続している。この第１吸込み部１１の大径開口部１１ｃは、容器８内の流動状体９の表面に配置されている薬剤１０及び流動状体９を、効率よく吸い込むことができる大きさに形成されている。そして、吸込み管１２の上端部１２ａは、口で吸い易い大きさであり、内孔１２ｂは薬剤１０及び流動状体９が通り易い大きさに形成されている。
【００２４】
第１実施形態に係る薬剤服用器具７を使用して、例えば粉、顆粒、錠剤、又はカプセルの薬剤１０を服用するときは、まず、図１（ｂ）に示すように、コップ、皿等の容器８にゼリー等の流動状体９を入れる。容器８内の流動状体（ゼリー）９は、吸い込み易いように適当な大きさにしてある。そして、この流動状体９の表面に１回に服用する分量の薬剤１０を配置する。そして、図１（ｃ）に示すように、薬剤服用器具７の第１吸込み部１１の先端部１１ａを、薬剤１０が配置された流動状体９の表面にあてがって口で吸い込めばよい。
【００２５】
薬剤１０及び流動状体９は、第１吸込み部１１及び吸込み管１２を通る間に互いに混ざり合あった状態となって口の中に入る。そして、使用者は、口に入った流動状体９（例えばゼリー）と共に、薬剤１０を違和感なく飲み込むことができる。
【００２６】
このように、この薬剤服用器具７によると、流動状体９と共に薬剤１０を口で吸い込むことができる構成としたので、薬剤１０が水に浮かんで吸い込みにくいようなものであっても、そのような薬剤１０を、ゼリー等の流動状体９と一緒に飲み込んで服用することができる。従って、例えば乳児、幼児、高齢者や、薬剤１０の服用が困難な身体障害者でも、比較的容易に薬剤１０を服用することができる。
【００２７】
ただし、流動状体９として、ゼリー（ゼリー状体）を使用したが、これに代えて、ヨーグルト等の粘性を有する流動体や、ジュース等の液体を使用してもよい。なお、流動状体９として液体を使用する場合は、後述する図１３（ｂ）に示すように、薬剤１０を例えばオブラート１５に包んで液体１４に浮かせて、その薬剤１０が包まれたオブラート１５と共に液体１４を、この薬剤服用器具７を使用して口に吸い込んで飲み込むことができる。このようにしても、薬剤１０を容易に服用することができる。
【００２８】
次に、本考案に係る薬剤服用器具の第２実施形態を図２（ａ）、（ｂ）、（ｃ）を参照して説明する。図２（ａ）に示す第２実施形態の薬剤服用器具１７は、図１（ａ）に示す第１実施形態の薬剤服用器具７において、その第１吸込み部１１の大径開口縁に対して薬剤保持部１８を着脱自在に設けたものである。それ以外は、第１実施形態と同等であり、同等部分を同一の図面符号で示し、それらの説明を省略する。
【００２９】
薬剤保持部１８は、図２（ａ）、（ｂ）、（ｃ）に示すように、内部に顆粒、錠剤及びカプセル等の液体以外の薬剤１０を保持できるようにカップ状に形成されており、上側開口縁に雌ねじ部１９が形成されている。この雌ねじ部１９は、第１吸込み部１１の大径開口縁に形成された雄ねじ部２０に螺合させることによって、この薬剤保持部１８を第１吸込み部１１に着脱自在に取り付けることができるように形成されている。
【００３０】
薬剤保持部１８の底部には、網状体で形成された流入部２１が設けられている。このように、底部を網状体で形成することによって、液体以外の薬剤１０を保持することができるし、容器８内のゼリー等の流動状体９を吸い込んで、この薬剤保持部１８内に流入させることができる。
【００３１】
第２実施形態に係る薬剤服用器具１７を使用して、例えば顆粒、錠剤、又はカプセルの薬剤１０を服用するときは、まず、図２（ｂ）に示すように、薬剤保持部１８を第１吸込み部１１から取り外して、この薬剤保持部１８に例えば１回に服用する分量の薬剤１０を配置する。そして、容器８にゼリー等の流動状体９を入れる。そして、図２（ｃ）に示すように、薬剤服用器具１７の流入部２１を容器８内の流動状体９の例えば表面にあてがって口で吸い込むことができる。
【００３２】
この薬剤服用器具１７によると、例えば規定量の薬剤１０を薬剤保持部１８に保持させることによって、規定量の薬剤１０を、流動状体９と一緒に飲み込んで確実に服用することができる。そして、薬剤保持部１８が第１吸込み部１１と着脱自在に設けられているので、例えば薬剤１０の性状や使用者の好みに応じて、薬剤保持部１８を第１吸込み部１１から外した状態（第１実施形態の薬剤服用器具７の状態）でも使用することができる。これ以外は、第１実施形態と同様に作用するのでそれらの説明を省略する。
【００３３】
次に、本考案に係る薬剤服用器具の第３実施形態を図３（ａ）、（ｂ）、（ｃ）を参照して説明する。第３実施形態と第２実施形態とが相違するところは、図２（ａ）に示す第２実施形態の薬剤服用器具１７では、薬剤保持部１８に設けられている流動状体９の流入部２１を網状体で形成したのに対して、図３（ａ）に示す第３実施形態の薬剤服用器具２３では、流入部２４を複数の小孔で形成したところである。これ以外は、第２実施形態と同等の構成であり、同様に作用するので、同等部分を同一の図面符号で示し、それらの説明を省略する。
【００３４】
この流入部２４は、図３（ａ）に示すように、薬剤保持部１８の底部１８ａに形成された複数の小孔であり、このように流入部２４を複数の小孔とすることによって、例えば流動状体９に果物等の小片が含まれている場合に、その果物等の小片を小孔から吸い込んで、この薬剤保持部１８内に流入させることができ、これら果物等の小片を残さずに飲み込むことができる。図３（ｂ）は、薬剤保持部１８を第１吸込み部１１から取り外した状態を示している。図３（ｃ）は、この薬剤服用器具２３を使用して容器８内の流動状体９を吸い込みながら薬剤１０を服用する状態を示している。
【００３５】
次に、本考案に係る薬剤服用器具の第４実施形態を図４（ａ）、（ｂ）、（ｃ）を参照して説明する。第４実施形態と第２実施形態とが相違するところは、図２（ａ）に示す第２実施形態の薬剤服用器具１７では、薬剤保持部１８に設けられている流動状体９の流入部２１を網状体で形成したのに対して、図４（ａ）に示す第４実施形態の薬剤服用器具２６では、流入部２７を逆止弁で形成したところである。これ以外は、第２実施形態と同等の構成であり、同様に作用するので、同等部分を同一の図面符号で示し、それらの説明を省略する。
【００３６】
この流入部（逆止弁）２７は、図４（ａ）に示すように、薬剤保持部１８の底部１８ａに形成され弁孔２７ａと、この弁孔２７ａを開閉するためのプラスチックフィルム製の弁体２７ｂとを備えるものである。この弁体２７ｂは、その一端が薬剤保持部１８の底部上面に結合し、他端側が上下方向に揺動可能に設けられている。このように流入部２７を逆止弁とすることによって、例えば薬剤保持部１８に液体の薬剤１０を保持することができる。この実施形態では、流動状体９としてジュース等の液体を使用しており、この流動状体（ジュース）９が容器８内に入れられている。薬剤保持部１８に保持されている液体としての薬剤１０は、流入部（逆止弁）２７の働きによって、弁孔２７ａを通って容器８内に流出することがない。
【００３７】
従って、この薬剤服用器具２６によると、例えば規定量の液体の薬剤１０を薬剤保持部１８に保持させることによって、規定量の薬剤１０を、ジュースである流動状体９を飲みながらそれと一緒に確実に服用することができる。勿論、流動状体９としてジュースを使用したが、これに代えて、ゼリー状体や、ヨーグルト等の粘性を有する流動体を使用することができる。図４（ｂ）は、薬剤保持部１８を第１吸込み部１１から取り外した状態を示している。図４（ｃ）は、この薬剤服用器具２６を使用して容器８内の流動状体（ジュース）９を吸い込みながら液体の薬剤１０を服用する状態を示している。
【００３８】
また、図２〜図４に示すように、流入部２１、２４、２７を、網状体、小孔又は逆止弁で構成することができるので、例えば、流動状体９の粘度が比較的大きいために、流動状体９が流入部を逆流し難い性状である場合は、流入部を網状体や小孔で構成することができるし、逆流し易い性状である場合は、逆止弁で構成するとよい。流入部における流動状体９の逆流を防止するのは、薬剤１０が流入部から流出しないようにするためである。
【００３９】
次に、本考案に係る薬剤服用器具の第５実施形態を図５（ａ）、（ｂ）、（ｃ）を参照して説明する。図５（ａ）に示す第５実施形態の薬剤服用器具２９は、図４（ａ）に示す第４実施形態の薬剤服用器具２６において、その薬剤保持部１８の下端部に対して第２吸込み部３０を着脱自在に設けたものである。そして、第５実施形態では、第４実施形態の薬剤保持部１８を流動状体保持部３１として使用している。それ以外は、第４実施形態と同等であり、同等部分を同一の図面符号で示し、それらの説明を省略する。
【００４０】
第２吸込み部３０は、図５（ａ）、（ｂ）、（ｃ）に示すように、互いに結合する内周壁３０ａと外周壁３０ｂとを備えている。内周壁３０ａは、下方に向かって広がるラッパ状に形成されており、その小径開口部が流動状体保持部３１の弁孔２７ａに連通している。外周壁３０ｂは、短円筒状体であり、上側開口縁に雌ねじ部３２が形成されている。この雌ねじ部３２は、流動状体保持部３１の下端部周縁に形成された雄ねじ部３３に螺合させることによって、この第２吸込み部３０を流動状体保持部３１に着脱自在に取り付けることができるように形成されている。
【００４１】
図５（ａ）に示す薬剤服用器具２９を使用して薬剤１０を服用するときは、まず、図５（ｂ）に示すように、流動状体保持部３１に流動状体９を入れておく。この流動状体９として、例えばジュース等の液体、ゼリー状体、又はヨーグルト等の流動体等を使用することができる。そして、薬剤１０を例えば容器８に入れられたゼリー等の流動状体９の表面に配置する。このようにして、薬剤１０と共に流動状体９を第２吸込み部３０の大径開口部から吸い込めばよい。するとまず、流動状体保持部３１に保持されている流動状体９が口の中に入る。次に、容器８内の流動状体９及び薬剤１０が第２吸込み部３０、流動状体保持部３１、第１吸込み部１１及び吸込み管１２を通る間に互いに混ざり合あった状態となって口の中に入る。このように、まず、流動状体保持部３１に保持されている流動状体９が口の中に入った後に、容器８内の薬剤１０及び流動状体９の混合物が口に入るので、薬剤１０を流動状体９と共に違和感なく飲み込むことができる。
【００４２】
次に、本考案に係る薬剤服用器具の第６、第７及び第８実施形態を図６、図７及び図８を参照して説明する。これら第６〜第８実施形態の薬剤服用器具３５、３６、３７は、図５（ａ）に示す第５実施形態の薬剤服用器具２９に取り付けられている第２吸込み部３０の大径開口部に対して、薬剤保持部３８、３９、４０を設けたものである。これらの薬剤保持部３８、３９、４０は、薬剤１０を保持することができ、流動状体９を通すための流入部２１、２４、２７が形成されている。これ以外は、第５実施形態と同等の構成であり、同様に作用するので、同等部分を同一の図面符号で示し、それらの説明を省略する。
【００４３】
この流入部２１、２４、２７は、図６（ａ）、（ｂ）、（ｃ）に示す第６実施形態の薬剤服用器具では、網状体で構成され、図７（ａ）、（ｂ）、（ｃ）に示す第７実施形態の薬剤服用器具では、複数の小孔で構成され、図８（ａ）、（ｂ）、（ｃ）に示す第８実施形態の薬剤服用器具では、逆止弁で構成されている。これら図６（ａ）、図７（ａ）及び図８（ａ）に示すそれぞれの流入部２１、２４、２７を備える薬剤保持部３８、３９、４０は、図２（ａ）、図３（ａ）及び図４（ａ）に示すそれぞれの流入部２１、２４、２７を備える薬剤保持部１８、・・・と同等の構成であり、同等部分を同一の図面符号で示し、それらの詳細な説明を省略する。
【００４４】
つまり、これら第６〜第８実施形態の薬剤服用器具３５、３６、３７によると、例えば規定量の薬剤１０を薬剤保持部３８、３９、４０に保持させることによって、その規定量の薬剤１０を、流動状体９と一緒に飲み込んで確実に服用することができる。
【００４５】
次に、本考案に係る薬剤服用器具の第９実施形態を図９（ａ）を参照して説明する。この図９（ａ）に示す第９実施形態と、図３（ａ）に示す第３実施形態とが相違するところは、図３（ａ）に示す第３実施形態の薬剤服用器具２３では、複数の小孔で構成された流入部２４が、薬剤保持部１８の底部１８ａに形成されているのに対して、図９（ａ）に示す第９実施形態の薬剤服用器具４２では、複数の小孔で構成された流入部２４が、薬剤保持部１８の側壁１８ｂに形成されているところである。これ以外は、第３実施形態と同等の構成であり、同様に作用するので、同等部分を同一の図面符号で示し、それらの説明を省略する。
【００４６】
このように、流入部２４を薬剤保持部１８の側壁１８ｂに設けると、薬剤１０の性状によって、薬剤１０が流入部２４から外に出る可能性が高い場合でも、薬剤保持部１８に保持された薬剤１０が流入部２４から出にくくすることができる。
【００４７】
また、図９（ａ）に示す第９実施形態の薬剤服用器具４２では、薬剤保持部１８の側壁１８ｂに設けた流入部２４を複数の小孔で構成したが、これに代えて、図９（ｂ）に示す第１０実施形態の薬剤服用器具４４のように、薬剤保持部１８の側壁１８ｂに設けた流入部２７を逆止弁で構成してもよい。この逆止弁（流入部２７）を構成する弁孔２７ａは側壁１８ｂに形成され、弁体２７ｂは側壁１８ｂの内面に設けられている。
【００４８】
次に、本考案に係る薬剤服用器具の第１１実施形態を図１０を参照して説明する。この図１０に示す第１１実施形態の薬剤服用器具４６は、図４（ａ）に示す第４実施形態の薬剤服用器具２６において、その薬剤保持部１８の底部１８ａを略半円球状に形成し、その弁孔２７ａに連結管４７の上端部を螺合接合したものである。そして、この連結管４７の下端部には、円板状の鍔状部４７ａが設けられ、この連結管４７にキャップ４８が回動自在に装着されている。つまり、キャップ４８には、挿通孔４８ａが形成されており、この挿通孔４８ａに連結管４７が挿通している。また、キャップ４８の内周面には、雌ねじ部４９が形成されている。
【００４９】
このキャップ４８は、図１０に示すように、ゼリー状体等の流動状体９が収容されている容器５０の開口部（雄ねじ部５１）５０ａに着脱自在に螺合させて取り付けることができる。そしてこのように、キャップ４８を開口部５０ａに取り付けた状態で、容器５０の開口部５０ａと弁孔（流入部２７）２７ａとが、連通管４７の連通孔４７ｂを介して連通した状態となる。図１０に示す５２は、容器５０内の流動状体９を吸上げるための吸上げ管である。容器５０は、柔軟な袋である。
【００５０】
この薬剤服用器具４６によると、キャップ４８を流動状体９が収容された容器５０の開口部５０ａに着脱自在に取り付けることができ、このようにキャップ４８を取り付けた状態で、吸込み管１２の上端部１２ａから口で吸い込むことによって、容器５０内の流動状体９を飲みながら薬剤１０を服用することができる。
【００５１】
次に、本考案に係る薬剤服用器具の第１２実施形態を図１１を参照して説明する。この図１１に示す第１２実施形態の薬剤服用器具５４は、図１に示す第１実施形態の薬剤服用器具（内側器具）７と、この薬剤服用器具７に対して隙間５６を隔てて覆うよう設けた外管５５とを備え、内側器具７の流動状体９を吸込む側の下端と外管５５の下端との隙間を、容器８内の流動状体９を吸い込むための吸込み口５７として形成してある。そして、内側器具７の上端と外管５５の上端との隙間を流動状体９の出口５８として形成したものであり、この出口５８に口を付けて、薬剤１０等を吸い込むことができる。
【００５２】
なお、外管５５の内面と内側器具７の外面との隙間５６は、図１１に示すように、薬剤服用器具５４の全体に亘って略同じ寸法となるようにそれぞれが形成されている。また、外管５５は、外管上部５５ａと外管下部５５ｂとから成っている。
【００５３】
図１１に示す薬剤服用器具５４によると、外管５５の出口５８を口で吸うことによって、この出口５８から流動状体９が流出して口の中に入る。このとき、内側器具７の吸込み管１２の上端からも流動状体９及び薬剤１０が流入し、これらが互いに混ざり合うので、薬剤１０の違和感を少なくして服用することができる。
【００５４】
ただし、図１１に示す薬剤服用器具５４では、外管５５の内側に図１（ａ）に示す薬剤服用器具７を設けた構成としたが、この図１（ａ）に示す薬剤服用器具７に代えて、図２（ａ）等に示す上記他の実施形態の薬剤服用器具を内側に設けた構成としてもよい。
【００５５】
次に、薬剤包装具を、図１２及び図１３を参照して説明する。この薬剤包装具６０は、例えば合成樹脂製であり、図１２（ａ）、（ｂ）に示すように、所定量の薬剤１０をオブラート１５で包むときに使用するものであって、漏斗状に形成されたオブラート保持部６１を備えている。そして、このオブラート保持部６１の周壁に支持部６２が設けられている。支持部６２は、板状体を屈曲形成したものであり、その上端部がオブラート保持部６１の周壁と結合している。支持部６２の下部は、２つに分岐する脚部６２ａ、６２ａで形成されており、この脚部６２ａ、６２ａに所定の深さの溝６２ｂが形成されている。この脚部６２ａ、６２ａは、図１２（ｂ）に示すように、溝６２ｂをコップ等の容器８の周壁の上縁部に嵌合させることによって、容器８に固定して取り付けることができるように形成されている。
【００５６】
そして、図１２（ｂ）に示すように、薬剤包装具６０を容器８に取り付けた状態で、オブラート保持部６１の小径開口縁６１ａが、ジュース等の液体（流動状体）１４が収容される容器８内に向かうように形成されている。
【００５７】
図１２（ａ）に示す薬剤包装具６０を使用して所定量の薬剤１０をオブラート１５に包むときは、まず、図１２（ｂ）に示すように、ジュース等の流動状体１４を容器８に入れる。そして、この容器８に薬剤包装具６０の支持部６２を取り付ける。次に、オブラート１５をオブラート保持部６１内に装着して、このオブラート１５内に薬剤１０を入れる。このオブラート１５は、シート状のものをほぼ円錐形に折り曲げてオブラート保持部６１に装着してもよいし、袋状に形成されたものを装着してもよい。
【００５８】
次に、図１２（ｃ）に示すように、例えばスプーンの柄６３などを使用して、この薬剤１０を収容するオブラート１５を保持部６１の小径開口部６１ｂから押し出して排出して、容器８に収容されている流動状体１４上に落とす（図１３（ａ）参照）。このとき、薬剤１０を覆っているオブラート１５どうしが、流動状体１４によって密着して薬剤１０を包んだ状態となり、流動状体１４上に浮かせることができる。
【００５９】
次に、図１３（ｂ）に示すように、例えば図１（ａ）に示す薬剤服用器具７を使用して、液体の流動状体１４と共にオブラート１５で包まれた薬剤１０を口で吸い込むことによって、薬剤１０を容易に服用することができる。
【００６０】
この例では、容器８にジュース等の流動状体１４を入れて、このジュース等の液体によってオブラート１５どうしを密着させて薬剤１０を包むようにしたが、液体に代えて、比較的流動性の高いゼリー状体（例えばゼリー）、又は粘性を有する流動体（例えばヨーグルト）等の流動状体を使用することができる。
【００６１】
次に、図１４（ａ）〜（ｃ）を参照して、薬剤１０を含ませた流動状体６６の成形方法、及びそれに使用する薬剤成形具６５を説明する。この薬剤１０を含ませた流動状体６６は、例えば図１に示す薬剤服用器具７を使用して第１吸込み部１１から吸い込んで、この流動状体６６を飲み込むことができ、これによって薬剤１０を服用できるようにするものである。勿論、薬剤服用器具７を使用せずに、流動状体６６をそのまま口に入れて飲み込むこともできる。
【００６２】
図１４（ａ）は、薬剤成形具６５を構成する成形型６７を示す平面図である。この成形型６７は、矩形の板状体であり、その上面に８つの略半球形状の凹部６８、・・・が形成されている。成形型６７の外周縁には、矩形枠状の溝６９が形成されており、この溝６９に蓋７０の外周縁が嵌合するようになっている（図１４（ｂ）参照）。
【００６３】
この薬剤成形具６５を使用して薬剤１０を含ませた流動状体６６を成形するときは、まず、例えばゼリー又は寒天等の流動状体９を加熱して液状にする。そして、この液状のゼリー等の流動状体９を、図１４（ａ）に示す成形型６７に形成されているそれぞれの凹部６８、・・・に流し込む。次に、各凹部６８に流し込まれた流動状体９に薬剤１０を入れる。ここで、この合計８つの凹部６８に流し込まれた流動状体９に入れる薬剤１０は、１回に服用する分量とする。そして、薬剤１０が例えば錠剤であれば、小さく潰して各流動状体９に入れるとよい。
【００６４】
そして、図１４（ｂ）に示すように、成形型６７に蓋７０をして、流動状体９及び薬剤１０が流し込まれたこの薬剤成形具６５を例えば冷蔵庫で冷却する。冷却によって各凹部６８に流し込まれた薬剤１０を含む流動状体６６が固まった後に、この成形型６７の各凹部６８から流動状体６６を取り出す。これによって、薬剤１０を含ませた略半球形状の流動状体６６を成形することができる（図１４（ｃ）参照）。この薬剤１０を含ませた流動状体６６は、例えば図１に示す薬剤服用器具７を使用して第１吸込み部１１から吸い込んで、流動状体６６を飲み込むことによって薬剤１０を服用することができる。また、この薬剤１０を含む流動状体６６を、薬剤服用器具７を使用せずにそのまま飲み込むことによって薬剤１０を服用することもできる。
【００６５】
次に、図１５（ａ）〜（ｃ）を参照して、薬剤１０を含ませた他の流動状体７１の成形方法、及びそれに使用する他の薬剤成形具７２を説明する。この薬剤１０を含ませた流動状体７１は、図１５（ｃ）に示すように、まず、適当な大きさに切断しておいて、上記と同様に、例えば図１に示す薬剤服用器具７を使用して第１吸込み部１１から吸い込んで、この切断された流動状体７１を飲み込むことによって薬剤１０を服用することができる。また、この切断された流動状体７１を、薬剤服用器具７を使用せずにそのまま飲み込むことによって薬剤１０を服用することもできる。
【００６６】
図１４（ａ）、（ｂ）に示す薬剤成形具６５と、図１５（ａ）、（ｂ）に示す薬剤成形具７２とが相違するところは、それぞれの成形型６７、７３に形成されている凹部６８、７４の大きさが相違するところである。
【００６７】
つまり、図１５（ａ）、（ｂ）に示す成形型７３を使用して成形された薬剤１０を含む流動状体７１は、図１５（ｃ）に示すように、例えば包丁で切断することによって、薬剤服用器具７を使用して吸い込むことができる寸法に形成する必要がある。図１５（ａ）、（ｂ）に示す成形型７３の上面に形成されている凹部７４、７４は、断面が半円形の長溝である。これ以外は、図１４（ａ）、（ｂ）に示す薬剤成形具６５と同等であり、同様にして薬剤１０を含む流動状体７１を成形することができる。
【００６８】
ただし、図２（ａ）に示す薬剤服用器具１７において、例えば吸込み管１２と第１吸込み部１１とを一体に形成して吸込み管とし、この吸込み管の先端に薬剤保持部１８を着脱自在に設けた構成としてもよい。
【００６９】
そして、図２〜図４に示す第２〜第４の各実施形態において、ラッパ状の第１吸込み部１１と薬剤保持部１８とを互いに着脱自在に設けたが、これに代えて、第１吸込み部１１を略短円筒形に形成し、この略短円筒形の第１吸込み部１１と薬剤保持部１８とを互いに一体に設けた構成としてもよい。このように、第１吸込み部１１を略短円筒形に形成することによって、例えば薬剤１０を服用する乳幼児が、この薬剤服用機具の形状に対して違和感を生じることなく薬剤１０を服用することができる。なお、薬剤保持部１８への薬剤１０の供給は、吸込み管１２の上端部１２ａから行うことができる。
【産業上の利用可能性】
【００７０】
以上のように、本考案に係る薬剤服用器具は、粉、顆粒、錠剤、カプセル及び液体等の薬剤を、例えば乳児、幼児、高齢者や、薬剤の服用が困難な身体障害者でも比較的容易に服用できるようにする優れた効果を有し、このような薬剤服用器具に適用するのに適している。
【符号の説明】
【００７１】
７、１７、２３、２６、２９、３５、３６、３７  薬剤服用器具
４２、４４、４６、５４  薬剤服用器具
８  容器
９、１４  流動状体
１０  薬剤
１１  第１吸込み部
１１ａ  先端部
１１ｂ  接続筒
１１ｃ  大径開口部
１２  吸込み管
１２ａ  上端部
１２ｂ  内孔
１５  オブラート
１８、３８、３９、４０  薬剤保持部
１８ａ  底部
１８ｂ  側壁
１９、３２、４９  雌ねじ部
２０、３３、５１  雄ねじ部
２１、２４、２７  流入部
２７ａ  弁孔
２７ｂ  弁体
３０  第２吸込み部
３０ａ  内周壁
３０ｂ  外周壁
３１  流動状体保持部
４７  連結管
４７ａ  鍔状部
４７ｂ  連通孔
４８  キャップ
４８ａ  挿通孔
５０  容器
５０ａ  開口部
５２  吸上げ管
５５  外管
５５ａ  外管上部
５５ｂ  外管下部
５６  隙間
５７  吸込み口
５８  出口
６０  薬剤包装具
６１  オブラート保持部
６１ａ  小径開口縁
６１ｂ  小径開口部
６２  支持部
６２ａ  脚部
６２ｂ、６９  溝
６３  柄
６５、７２  薬剤成形具
６６、７１  薬剤を含む流動状体
６７、７３  成形型
６８、７４  凹部
７０  蓋
【図１】
0003173017.tif 000003
【図２】
0003173017.tif 000004
【図３】
0003173017.tif 000005
【図４】
0003173017.tif 000006
【図５】
0003173017.tif 000007
【図６】
0003173017.tif 000008
【図７】
0003173017.tif 000009
【図８】
0003173017.tif 000010
【図９】
0003173017.tif 000011
【図１０】
0003173017.tif 000012
【図１１】
0003173017.tif 000013
【図１２】
0003173017.tif 000014
【図１３】
0003173017.tif 000015
【図１４】
0003173017.tif 000016
【図１５】
0003173017.tif 000017
【図１６】
0003173017.tif 000018